【事件の表示】
　特許第３１７１１５２号「画像印画粘着シートの作成方法」の請求項１に係る特許に対する特許異議の申立てについて、次のとおり決定する。
【結　論】
　訂正を認める。
　特許第３１７１１５２号の請求項１に係る特許を取り消す。
【理　由】
１．手続の経緯
　本件特許第３１７１１５２号に係る出願は、平成２年１０月１３日に出願された特願平２−２７４１２８号の分割出願であって、平成１３年３月２３日に特許の設定登録がされ、その後その特許請求の範囲における請求項１に係る発明について異議申立人株式会社ディスクにより特許異議の申立がなされ、取消しの理由が通知され、その指定期間である平成１４年４月２２日に訂正請求がなされたものである。
　
２．訂正の適否についての判断
（１）訂正の内容
　平成１４年４月２２日付けの訂正請求書による訂正事項は、
（ａ）特許請求の範囲の請求項１
　「【請求項１】光学像を撮像手段により撮像して画像信号に変換し、
　上記光学像に係わる情報を入力手段から入力し、
　上記画像信号及び／又は上記情報を表示手段により印画状態を表すものとして表示し、
　一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　上記切断領域に上記ビデオプリント手段により上記画像信号及び／又は上記情報を印画することを特徴とする画像印画粘着シートの作成方法。」
を、
　「【請求項１】光学像を撮像手段により撮像して画像信号に変換し、
　上記光学像に係わる情報を入力手段から入力し、
　上記画像信号及び／又は上記情報を表示手段により印画状態を表すものとして表示し、
　一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　上記被検出部の検出により検出される上記切断領域に上記ビデオプリント手段により上記画像信号及び／又は上記情報を印画することを特徴とする画像印画粘着シートの作成方法。」
と訂正し、
　
（ｂ）段落番号【０００５】の記載
　「【課題を解決するための手段】
本発明の画像印画粘着シートの作成方法は、光学像を撮像手段により撮像して画像信号に変換し、上記光学像に係わる情報を入力手段から入力し、上記画像信号及び／又は上記情報を表示手段により印画状態を表すものとして表示し、一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、上記切断領域に上記ビデオプリント手段により上記画像信号及び／又は上記情報を印画することにより、上述した課題を解決する。」
を、
　「【課題を解決するための手段】
本発明の画像印画粘着シートの作成方法は、光学像を撮像手段により撮像して画像信号に変換し、上記光学像に係わる情報を入力手段から入力し、上記画像信号及び／又は上記情報を表示手段により印画状態を表すものとして表示し、一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、上記被検出部の検出により検出される上記切断領域に上記ビデオプリント手段により上記画像信号及び／又は上記情報を印画することにより、上述した課題を解決する。」
と訂正するものである。
　
（２）訂正の目的の適否、新規事項の有無及び拡張・変更の存否
　上記訂正事項ａは、願書に添付した明細書に記載された事項の範囲内において訂正するものであり、特許請求の範囲の減縮に該当し、新規事項の追加に該当しない。
　上記訂正事項ｂは、明瞭でない記載の釈明を目的として、願書に添付した明細書に記載された事項の範囲内において訂正するものであり、新規事項の追加に該当しない。
　そして、上記訂正は、実質上特許請求の範囲を拡張し、変更するものでもない。
　
（３）以上のとおりであるから、上記訂正は、特許法第１２０条の４第２項及び同３項において準用する同法第１２６条第２項及び同第３項の規定に適合するので、当該訂正を認める。
　
３．本件発明
　上記２．で示したように上記訂正が認められるから、本件請求項１に係る発明は、上記訂正に係る訂正明細書の特許請求の範囲の請求項１に記載された事項により特定される次のとおりのものである。
　
「【請求項１】光学像を撮像手段により撮像して画像信号に変換し、
　上記光学像に係わる情報を入力手段から入力し、
　上記画像信号及び／又は上記情報を表示手段により印画状態を表すものとして表示し、
　一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　上記被検出部の検出により検出される上記切断領域に上記ビデオプリント手段により上記画像信号及び／又は上記情報を印画することを特徴とする画像印画粘着シートの作成方法。」
　
４．特許異議申立て理由の概要
　申立人株式会社ディスクは、証拠として
甲第１号証（特開昭６３−２２６９３号公報）、
甲第２号証（特開平　２−　　８９０号公報）、
甲第３号証（特公昭５０−２９７６７号公報）、
を提出し、
　請求項１に係る発明は、甲第１号証〜甲第３号証に記載された発明に基いて当業者が容易に発明し得るものであるから、特許法第２９条第２項の規定に違反してなされたものであり、したがって、同法第１１３条第１項第２号の規定により特許を取り消すべき旨主張している。
　
５．引用刊行物記載の発明
（１）当審が通知した取消理由に引用した
　特開平２−８９０号公報（以下「刊行物１」という。）（甲第２号証）には、図面と共に次の事項が記載されている。
　
（ア）「剥離シートに粘着層、シート基材、受像層を順次積層してなり且つ粘着層、シート基材及び受像層によりラベル部が形成され、該ラベル部と剥離シートとの間において剥離可能である被熱転写シートから構成され、受像層上に画像情報の電気信号に応じた加熱により熱転写シートの色材層中の昇華性染料を転写せしめて形成される１コマ以上の昇華転写画像を有すると共に、ラベル部に上記昇華転写画像の１コマ毎を区画するための切り込み線によるハーフカット処理を施したことを特徴とする昇華転写画像付ラベル。」（第１頁特許請求の範囲）
　　  
（イ）「本発明は上記の点に鑑みなされたもので、写真方式や印刷方式ではなく、ＣＲＴディスプレイ上の画像から直接写真のような画像を記録することができる熱転写記録方式により画像付けを行い、各種物品に対して簡便に貼り付けることができる昇華転写画像付ラベルを提供することを目的とするものである。」（第１頁右下欄第１２〜１８行）
　
（ウ）「第１図は本発明の一実施例を示す平面図であり、第２図は第１図のII−II線に沿う縦断面図である。
　本発明昇華転写画像付ラベル部１は、第２図に示すように剥離シート２上に粘着層３、シート基材４、受像層５を順次積層した積層構造からなるものであり、この積層シート自体は通常の熱転写記録方式に用いる被熱転写シートの機能を有するものである。図中６は昇華転写画像を示し、７はハーフカット処理による切り込み線を示す。
　また本発明ラベル１は、粘着層３、シート基材４及び受像層５によりラベル部８が形成され、このラベル部８と剥離シート２との間において剥離可能な構造を有し、第４図に示すようにラベル部８を切り込み線７に沿って容易に剥離シート２から剥離して離脱させることができるものである。
　上記ラベル部８は剥離シート２から離脱させた後、各種物品に貼着する部分であり、シート基材４上に受像層５を設け、該基材４裏面に所望物品の表面への貼着を可能ならしめる貼着層３を設けて構成される。」（第２頁左上欄第１５〜同頁右上欄第１４行）
　
（エ）「上記画像６中の画像内容は特に限定されず、所望の内容にて構成することができ、文字、記号、図形等であってもよい。
（以下、中略）
　本発明ラベルにおける画像は熱転写記録により得られる昇華転写画像であるため、写真調のごとき鮮明な画像であり、またＣＲＴディスプレイ上の電気的操作により簡単に画像内容を編集できるため多様性に富んだ内容の画像も容易に得ることができる。」（第３頁左下欄第３行〜同頁右下欄第２行）
　
（オ）「本発明ラベル１は、第２図に示すようにラベル部８にハーフカット処理が施されており、この処理による切り込み線７により画像６の１コマ毎が区画され、例えば、第１図に示される本実施例の如くＡ、Ｂ、Ｃ、Ｄのコマ画像毎に明確に区分化される。上記ハーフカット処理は切り込み線７により囲繞される１コマの画像６を有するラベル部８を、剥離シート２から正確且つ整然と離脱させることを可能ならしめるためのものである。またこの処理はラベル部８を剥離する際にラベル１自体を多少湾曲させるだけでラベル部端部が自然に剥離し始めることから、その剥離開始のきっかけ作りとして有効である。
　本実施例におけるハーフカット処理は、Ａ、Ｂ、Ｃ、Ｄのコマからなる各々の画像６の境界部（線）が互いに接合するように施されているが、このような構成の処理方法に限定されるものではなく、例えばＡ、Ｂ、Ｃ、Ｄのコマからなる各々の画像６の境界部が互いに離間した状態（換言すれば、各画像がそれぞれの切り込み線により完全に仕切られた状態）となるように施してもよい。
」（第３頁右下欄第３〜第４頁左上欄第３行）
　
（カ）「尚、本発明においてラベルに検知マークを設けることができる。検知マークは画像形成時に熱転写シートとの正確な位置決めを行う際等に極めて便利であり、例えば、光電管検知装置により検知しうる検知マークを剥離シート２裏面等に印刷等により設けることができる。」（第４頁右上欄第１３〜１８行）
　
（キ）「本発明ラベル１は通常、画像６を形成した後にハーフカット処理を施すが、予めハーフカット処理を施しておいてから、切り込み線により形成されるコマ範囲内におさまるように画像の形成を行ってもよい。
　上記の如き構成からなる本発明ラベル１を実際に使用するに当たっては、第４図に示すようにハーフカット処理による切り込み線７に沿ってラベル部８を剥離シート２から剥離し、次いで、第５図に示すように昇華転写画像６を有し、切り込み線によって区画された所定形状からなるラベル部８を、所望の被貼付体１７に貼り付ける。
　被貼付体１７は、貼付可能なものであればどの様な物品であってもよく、例えば名刺、通帳類、カード類学用品（下敷き、筆箱等）等が挙げられ、この他にも傘等のような物品でもよい。」（第４頁右下欄第７行〜第５頁左上欄第２行）
　
（ク）「実施例１（以下、中略）
　得られたラベルのうち顔及び社章の画像内容からなる１コマのラベル部を名刺に貼付したところ、その貼付にあたり、該ラベル部がハーフカット処理による切り込み線に沿って整然と明確な輪郭線をもって容易に剥離することができ、また鮮明な顔及び社章の画像表示部を有する名刺を得ることができた。」（第５頁右上欄第７から１３行）
　
（ケ）「［発明の効果］
　以上説明したように、本発明ラベルは昇華転写画像が画像付けされているため、極めて明瞭な画像を有し、文字と人間の顔画像等のように異種の画像内容を自由自在に組み合わせた画像を形成せしめたものを容易に得ることができる。また、ラベル部にハーフカット処理を施してなるため、剥離に際して、所望の１コマのラベル部を切り込み線に沿って容易且つ整然と剥離することができるものである。
　従って、本発明ラベルは所望のラベル部を容易に剥離して各種物品に簡便に貼り付けることができるとともに、このラベル部の貼付により自由自在に構成した画像内容を物品の新たなる表示部として構成させることができ、物品の付加価値を容易に向上させることができる。」（第６頁右上欄第１３行〜同頁左下欄第８行）
　
（２）同じく、当審が通知した取消理由に引用した
　特開平昭６３−２２６９３号公報（以下「刊行物２」という。）（甲第１号証）には、図面と共に次の事項が記載されている。
（コ）「１．対象とする画像データを取込む撮像手段と、
　この撮像手段により取込まれたデータを格納するメモリと、
　このメモリに格納されたデータが与えられ指示入力に基づきトリミング、レイアウトをはじめとする画像データ処理を行ない再び前記メモリに格納するデータ処理装置と、
　このデータ処理装置に対し前記指示入力を与える位置データ入力手段と、
　前記データ処理装置で必要な処理が施された画像データが与えられ昇華転写プリンタで画像形成するのに適したデータに変換するデータ変換装置と、
　このデータ変換装置の出力に基づきカードの受像面に画像を形成する昇華転写プリンタとを備えたカード製造装置。
２．特許請求の範囲第１項記載の装置において、
　文字データを入力する手段を有し、
　この手段からのデータを前記データ処理装置に与えて前記画像データに文字データを付加するようにしたカード製造装置。」（第１頁特許請求の範囲）
　
（サ）「本発明は身分証明書、運転免許証、定期券、名刺等として用いられる、磁気カード，ＩＣカード、光カードの製造装置に係り、特に人物の顔写真とと各種画像を付したカード製造する装置に関する。」（第１頁右下欄第１３〜１７行）
　
（シ）「第１図は本発明の一実施例の構成を示したもので、１０１は撮像手段であり，たとえばＴＶカメラ、ラインセンサ、イメージリーダをはじめとする光等の入力に基づき画像データを形成するものである。この撮像手段１０１から出力された画像データはデータ処理装置１０４を介してメモリ１０５に格納される。そしてこの格納データはデータ処理装置１０４を介してディスプレイ１０２に与えられ表示される。
　データ処理装置１０４には、マウス、タブレットディジタイザ等の位置データ入力手段１０３が接続されていてディスプレイ１０２上の表示画像に関連する位置データを入力するようになっており、またキーボード、ＯＣＲ等の文字データ入力手段１０６により文字データを入力するようになっている。これにより画像データに対し種々の処理が加えられる。
　加工されたデータはデータ変換装置１０７により昇華転写プリンタを動作させるのに適したデータに変換された上でドライバ１０８を介してサーマルヘッド１０９に出力され、転写フィルムＷからカードの受像紙Ｐに転写が行われる。」（第２頁左下欄第１５〜第２頁右下欄第１６行）
　
（ス）「第２図は第１図の実施例におけるデータ処理装置１０４を中心として動作内容を示したものである。
（以下、中略）
　このように位置データ入力手段１０３によるメニュー領域の選択が行なわれるとトリミング、レイアウトが行なわれるが、一方キーボード１０６が操作されると文字データの入力が行なわれる（Ｓ１１０）。文字データとは例えば氏名とか生年月日等に関するものであり、キーボード１０６から打込まれたデータが項目毎に定まったカード上の位置になるようにディスプレイ１０２に表示される。カード面には、発行日、発行番号等のデータ、さらには定期券の場合には乗車区間、有効期間、価格、発行会社等も表示されるが、これらは予めメモリ１０５に格納しておいたものを用いるようにする方が便利である。オペレータはこの表示画像で確認を行ない正しければキーボード１０６により終了の操作を行なう（Ｓ１１１）。
　終了したらデータがメモリ１０５に格納され（Ｓ１０２）、かつディスプレイ１０２に表示されるから再度確認の上、動作を終了する。
　第３図は本発明に用いる昇華転写プリンタの概略構成図である。図示の如く昇華転写プリンタ１０７は画素密度変換器３、色修正器４、階調修正器１１、記憶装置１２、バッファ１３、並直径変換器１４、ドライバ１０８、転写ヘッド１０９より構成され、画素密度変換器３は画像入力装置１００と接続されている。」（第２頁右下欄第１９行〜４頁左上欄第８行）
　
６．対比・判断
（対比）
　請求項１に係る発明と刊行物１に記載された発明とを対比すると、
　刊行物１に記載された発明の「一方の面に受像層５が形成され他方の面に粘着層３が形成されたシート基材４」は、請求項１に係る発明の「一方の面に印画面を設け他方の面に粘着剤が塗布されたベース部」に相当し、刊行物１に記載された発明の「粘着層３によりシート基材４に貼り付けられた剥離シート２」は、請求箇１に係る発明の「粘着剤により当該ベース部に貼付けられた剥離紙」に相当することは、明かである（前記（ア）、（ウ）参照。）。
　また、刊行物１に記載された発明の「受像層５とシート基材４を予め所望の形状にハーフカット処理することにより形成されたラベル部８」は、請求項１に係る発明の「上記印画面と上記ベース部を予め所望の形状に切断することによって形成された切断領域」に相当することも明かである（前記（ア）、（ウ）、（オ）、（キ）参照。）。
　そして、刊行物１に記載された発明の「サーマルヘッド等を有する熱転写記録装置」は、請求項１に係る発明の「ビデオプリント手段」に相当することも明かである。
　刊行物１には、「本発明においてラベルに検知マークを設けることができる。検知マークは画像形成時に熱転写シートとの正確な位置決めを行う際等に極めて便利であり、」（前記（カ）参照。）との記載がなされており、該検知マークは当然ラベル部８の画像６に対応して所定間隔毎に設けられるものであるから、刊行物１に記載された発明の「検知マーク」と請求項１に係る発明の「印画開始位置決め用の被検出部」との間に差異はない。
　刊行物１には、
　「本発明は上記の点に鑑みなされたもので、写真方式や印刷方式ではなく、ＣＲＴディスプレイ上の画像から直接写真のような画像を記録することができる熱転写記録方式により画像付けを行い、各種物品に対して簡便に貼り付けることができる昇華転写画像付ラベルを提供することを目的とするものである。」（前記（イ）参照。）
　「上記画像６中の画像内容は特に限定されず、所望の内容にて構成することができ、文字、記号、図形等であってもよい。」（前記（エ）参照。）
　「本発明ラベルは昇華転写画像が画像付けされているため、極めて明瞭な画像を有し、文字と人間の顔画像等のように異種の画像内容を自由自在に組み合わせた画像を形成せしめたものを容易に得ることができる。」（前記（ケ）参照。）
との記載がなされているから、刊行物１に記載された発明は、ＣＲＴディスプレイ上の画像から直接写真のような画像信号及び該画像信号に係わる情報を印画するものであるからこの点において、刊行物１に記載された発明と請求項１に係る発明との間に差異はない。
　
　そうすると、請求項１に係る発明と刊行物１に記載された発明とは、
（一致点）
　「一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　上記被検出部の検出により検出される上記切断領域に上記ビデオプリント手段により画像信号及び／又は情報を印画することを特徴とする画像印画粘着シートの作成方法。」
である点で一致し、次の点で相違する。
　
（相違点）
　請求項１に係る発明は、光学像を撮像手段により撮像して画像信号に変換し、上記光学像に係わる情報を入力手段から入力し、上記画像信号及び／又は上記情報を表示手段により印画状態を表すものとして表示しているのに対し、
　刊行物１に記載された発明は、光学像を撮像手段により撮像して画像信号に変換し、該光学像に係わる情報を入力手段から入力し、そして該画像信号及び該画像信号に係わる情報を印画状態を表すものとして表示するとの記載がない点。
　
　
（判断）
　上記相違点について判断するに、
　処理対象の光学像を撮像手段により撮像して画像信号に変換し、また該光学像に係わる情報を入力手段により入力し、そして画像信号及びこれに係わる情報を表示手段でモニターすることは、当業者には周知慣用されている技術常識である。
　例えば、刊行物２には、光学像を撮像手段１０１により撮像して画像信号に変換し、該光学像に係わる情報をキーボード１０６（入力手段に相当）から入力し、そして該画像信号及び該光学像に係わる情報をディスプレイ１０２（表示手段に相当）により印画状態を表すものとして表示することが記載されている（前記（コ）〜（ス）を参照。）。
　したがって、刊行物２に記載された発明の撮像手段１０１、キーボード１０６（入力手段）、及びディスプレイ１０２（表示手段）を刊行物１に記載された発明に設け、請求項１に係る発明の如く構成することは、当業者が適宜なし得る設計事項である。
　
　なお、特許権者は特許異議意見書において、刊行物１（特開平２−８９０号公報）（甲第２号証）に記載された発明の検知マークは、「剥離シート２裏面等に印刷等により設ける」ものであるから、検知の方向に制約があり、ビデオプリント手段により検出できず、刊行物１に記載された検知マークと請求項１に係る発明の被検出部とは構成が相違する旨主張する。
　しかしながら、特許請求の範囲の請求項１には刊行物１に記載された発明の検知マークと請求項１に係る発明の被検出部との相違を示す格別の構成上の記載がなく、また、刊行物１の記載事項「本発明においてラベルに検知マークを設けることができる。検知マークは画像形成時に熱転写シートとの正確な位置決めを行う際等に極めて便利であり、例えば、光電管検知装置により検知しうる検知マークを剥離シート２裏面等に印刷等により設けることができる。」から分かるように、刊行物１に記載された発明は、検知マークにより、画像形成時に熱転写シートの正確な位置決めを行っていることは明かであるから、刊行物１に記載された発明の検知マークと請求項１に係る発明の被検出部とは、共に、位置決めのために用いられるという点では相違せず、したがって、特許権者の主張は根拠がない。
　さらに、本件発明の詳細な説明をみると、請求項１に係る発明の被検出部は、インデックス孔１５と呼ばれる孔部である。しかるに、区間毎に繰り返される孔を区間の端に設け、位置検出の用となすことは、当業者には周知慣用されている事項である（例えば、この点に関しては、特公昭５０−２９７６７号公報（甲第３号証）に記載の停止孔１１及びこれに関連する記載を参照。）から、特許権者の主張はこの点でも根拠のないものである。
　
７．むすび
　以上のとおりであるから、本件請求項１に係る発明は、刊行物１に記載された発明、及び周知慣用技術とに基いて、当業者が容易に発明をすることができたものであるから、本件請求項１に係る発明の特許は、特許法第２９条第２項の規定に違反してなされたものである。
　したがって、本件請求項１に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月１７日（２００２．６．１７）
【訂正の要旨】
訂正の要旨
（ａ）特許請求の範囲の請求項１
　「【請求項１】光学像を撮像手段により撮像して画像信号に変換し、
　上記光学像に係わる情報を入力手段から入力し、
　上記画像信号及び／又は上記情報を表示手段により印画状態を表すものとして表示し、
　一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　上記切断領域に上記ビデオプリント手段により上記画像信号及び／又は上記情報を印画することを特徴とする画像印画粘着シートの作成方法。」
を、
　「【請求項１】光学像を撮像手段により撮像して画像信号に変換し、
　上記光学像に係わる情報を入力手段から入力し、
　上記画像信号及び／又は上記情報を表示手段により印画状態を表すものとして表示し、
　一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　上記被検出部の検出により検出される上記切断領域に上記ビデオプリント手段により上記画像信号及び／又は上記情報を印画することを特徴とする画像印画粘着シートの作成方法。」
と訂正し、
（ｂ）段落番号【０００５】の記載
　「【課題を解決するための手段】
本発明の画像印画粘着シートの作成方法は、光学像を撮像手段により撮像して画像信号に変換し、上記光学像に係わる情報を入力手段から入力し、上記画像信号及び／又は上記情報を表示手段により印画状態を表すものとして表示し、一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、上記切断領域に上記ビデオプリント手段により上記画像信号及び／又は上記情報を印画することにより、上述した課題を解決する。」
を、
　「【課題を解決するための手段】
本発明の画像印画粘着シートの作成方法は、光学像を撮像手段により撮像して画像信号に変換し、上記光学像に係わる情報を入力手段から入力し、上記画像信号及び／又は上記情報を表示手段により印画状態を表すものとして表示し、一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、上記被検出部の検出により検出される上記切断領域に上記ビデオプリント手段により上記画像信号及び／又は上記情報を印画することにより、上述した課題を解決する。」
と訂正するものである。
（５４）【発明の名称】
画像印画粘着シートの作成方法
（５７）【特許請求の範囲】
　【請求項１】　光学像を撮像手段により撮像して画像信号に変換し、
　上記光学像に係わる情報を入力手段から入力し、
　上記画像信号及び／又は上記情報を表示手段により印画状態を表すものとして表示し、
　一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
　
上記被検出部の検出により検出される
　ことを特徴とする画像印画粘着シートの作成方法。
【発明の詳細な説明】
　【０００１】
　【発明の属する技術分野】
　本発明は、画像印画粘着シートを作成する作成方法に関する。
　【０００２】
　【従来の技術】
　従来より、例えば人の顔や上半身等の実写画像とともに、その他の情報（例えば、その人の会社名，所属部署，氏名等やその他の絵など）を表面上に描いた（配した）シート或いはカード等を作成する場合、例えば予め上記その他の情報が記載されたシートやカードに上記顔や上半身の写真等をそのまま糊付けしたり、或いは予め上記その他の情報が記載されたシートやカードと上記顔や上半身の写真等をいわゆるラミネート加工したりして作成されている。
　【０００３】
　【発明が解決しようとする課題】
　ところで、上述のようなシートやカードを作成する場合において、迅速な作成を望む用途が多々あるが、前述したようにシートやカード作成時の上半身（顔）の写真の現像，糊付け（貼付け）、或いはラミネート加工等に時間がかかり、即時に該シートやカードを作成することができない。また、例えば短時間に多数のシートやカードを作成しようとすると、多くのシート或いはカード作成装置が必要となりコストが高くなる。
　【０００４】
　そこで、本発明は、上述のような実情に鑑みて提案されたものであり、例えば人の顔や上半身等の実写画像とその他の情報とを同時に、画像印画粘着シートである画像印画媒体に印画することを可能にするとともに、短時間，簡単かつ安価で大量の作成を実現可能とする画像印画粘着シートの作成方法を提供することを目的とする。
　【０００５】
　【課題を解決するための手段】
　本発明の画像印画粘着シートの作成方法は、光学像を撮像手段により撮像して画像信号に変換し、上記光学像に係わる情報を入力手段から入力し、上記画像信号及び／又は上記情報を表示手段により印画状態を表すものとして表示し、一方の面に印画面を設け他方の面に粘着剤が塗布されたベース部と上記粘着剤により当該ベース部に貼付けられた剥離紙とを有してなり、上記印画面と上記ベース部を予め所望の形状に切断することによって形成された切断領域と所定間隔毎に設けられた印画開始位置決め用の被検出部を備えた画像印画媒体の、当該被検出部をビデオプリント手段により検出し、
上記被検出部の検出により検出される
　【０００６】
　【０００７】
　すなわち、本発明の画像印画粘着シートの作成方法は、撮像手段からの画像信号や入力手段から入力された情報、或いはそれらの合成信号を画像印画媒体に印画するものであり、画像印画媒体には、印画面とベース部を予め所望の形状に切断した切断領域と、所定間隔毎の印画開始位置決め用被検出部とが設けられ、上記撮像手段からの画像信号や入力手段から入力された情報、或いはそれらの合成信号をビデオプリント手段に送り、ビデオプリント手段では、画像印画媒体の印画開始位置決め用の被検出部により検出された印画開始位置の切断領域に、それら画像信号等を印画するようにしている。したがって、例えば人物の上半身（顔）の光学像の画像信号と、その他の情報信号（例えば絵や文字、記号などの画像信号）やそれらの合成信号を、直接、上記印画面に印画するようなことを行えば、例えば上半身（顔）写真の現像，貼付け、ラミネート加工等が不要となり、短時間で簡単かつ安価で大量に画像を印画することができる。
　【０００８】
　【発明の実施の形態】
　以下、本発明の好ましい実施の形態について、図面を参照しながら説明する。
　【０００９】
　図１に本発明の画像印画粘着シートを作成方法を実現する画像印画粘着シートの作成装置の概略ブロック図を示し、図２に本実施の形態の画像印画粘着シートの外観図を示す。図２には、画像印画粘着シートの一部が剥離された状態も示している。なお、以下の実施の形態では、例えば企業内の社員等の識別のために用いられる身分証明書としてのいわゆるＩＤカード（例えば会社名，所属部署，氏名等が記載された識別カード）を作成する例を挙げているが、本発明はこれに限定されるものでないことは言うまでもない。
　【００１０】
　この図１に示す画像印画粘着シートの作成装置は、例えば、人物の上半身（顔）からの光が入射された光学像を画像信号に変換する撮像手段であるＣＣＤ（電荷結合素子）カメラ２０と、該ＣＣＤカメラ２０より得られた画像信号と該画像信号に係わる情報信号（例えば会社名，所属部署，氏名等の情報信号）とを合成し、合成画像信号として出力する画像合成手段であるホストコンピュータ２３と、当該ホストコンピュータ２３の出力画像信号が供給され、この信号を一方の面に印画面を有し他方の面に粘着剤が塗布されたベース部と該ベース部に貼付けられた剥離紙とからなる粘着シートの上記印画面に印画するビデオプリンタ２４（例えば感熱タイプの白黒プリンタ）とを備えたものである。
　【００１１】
　また、図２に示す画像印画粘着シート１０は、例えば、人物の上半身（顔）の光学像を画像信号に変換して得られた当該画像信号と、この画像信号に係わる情報信号（例えば会社名，所属部署，氏名等の情報の信号）とを合成した合成画像信号を、粘着シート１９の上記印画面１４に印画して作成されるものである。ここで、上記粘着シート１９は、一方の面に例えば感熱剤が塗布されてなる印画面１４を有し他方の面に例えば衣料用の粘着剤が塗布されてなる粘着面１３を有したベース部（合成紙１２）と該合成紙１２に貼付けられた剥離紙１１とからなるものである。更に、図３には、上記粘着シート１９の断面図を示す。すなわち、当該粘着シート１９は、合成紙１２の表面（上記一方の面）に上記感熱剤からなる感熱層３４が配されると共に該合成紙１２の裏面（上記他方の面）に上記粘着剤からなる粘着層３２が配され、上記粘着層３２によって、当該合成紙１２が上記剥離紙（例えばシリコン含浸剥離紙）１１に貼付けられてなるものである。
　【００１２】
　ここで、図４には、上記図１のブロック図に示す本実施の形態装置を、実際の機器と対応付けた場合の構成図を示している。
　【００１３】
　すなわち、この図４及び図１において、上記ＣＣＤカメラ２０で例えば人物の上半身（顔）を撮影（ＣＣＤ上に撮像）する。このＣＣＤカメラ２０は、上記撮像された光学像を画像信号（ビデオ信号）に変換して出力する。該ＣＣＤカメラ２０からのビデオ信号は、上記ホストコンピュータ２３に送られる。
　【００１４】
　また、キーボード２１では、上記ＣＣＤカメラ２０で撮像された人物の例えば会社名，所属部署，氏名等の情報（すなわち上記画像信号に係わる文字，記号等の情報）を入力すると共に、上記ホストコンピュータ２３にて合成される画像を選択するための入力も行われる。このキーボード２１からの出力情報信号も、上記ホストコンピュータ２３に送られる。
　【００１５】
　当該ホストコンピュータ２３では、上記キーボード２１からの選択入力に応じた上記ＣＣＤカメラ２０からの上記画像信号と、上記キーボード２１からの上記情報信号とを合成し、合成画像信号を形成する。この合成画像信号は、モニタ２２に送られ、該モニタ２２の表示画面（例えばいわゆるブラウン管或いは液晶画面等）２２ａに表示される。すなわち、このモニタ２２の表示画面２２ａには、例えば図４に示すように、上記ＣＣＤカメラ２０で撮像された人物の上半身（顔）の画像２２ｂと、該人物の会社名，所属部署，氏名等の情報の画像（例えば文字画像）２２ｃとが同時に表示される。
　【００１６】
　その後、上記ホストコンピュータ２３で合成された合成画像信号は、上記ビデオプリンタ２４に送られる。このビデオプリンタ２４では、上記画像印画粘着シート１０の印画面１４に上記画像信号の印画が行われる。ここで、当該ビデオプリンタ２４内には、例えばロール状に巻回された上記粘着シート１９が内蔵されている。この場合の当該粘着シート１９には、例えば、印画面１４とベース部を予め所望の形状に切断することにより形成された切断領域として複数の画像印画粘着シート１０が、当該粘着シート１９の長手方向に一定間隔で配されている（幅方向には１つ以上配される）。もちろん、上記粘着シート１９は、上記ロール状に巻回されたものに限らず、例えば図５に示すように折り畳まれたもの、或いは、例えば図６に示すように１枚の粘着シート１９に複数の画像印画粘着シート１０が配置されたもの等であってもよい。また、上記粘着シート１９には、例えば図２に示すように、印画開始位置決め用の被検出部である孔部（インデックス孔）１５が一定間隔で配されている。すなわち、当該ビデオプリンタ２４は、このインデックス孔１５を検出して上記印画面１４上への印画開始位置を決めている。すなわち、当該インデックス孔１５により、印画位置が画枠（印画面１４）内に入るようにしている。上述のようなことから、該ビデオプリンタ２４を用いることにより、図２に示すように、上記人物の画像信号に対応する上半身（顔）の画像１６と、会社名，所属部署，氏名等の情報信号に対応する文字画像１７とが、粘着シート１９の１つの印画面１４上に印画されるようになる。この本実施の形態のビデオプリンタ２４によれば、１つの印画面１４への印画に要する時間は、５秒程度となっている。
　【００１７】
　更に、上記ホストコンピュータ２３で合成された合成画像信号は、該ホストコンピュータ２３の内部メモリに記録されたり、或いは、ファイリング装置２５に送られて記録されるようになっている。該ファイリング装置２５は、例えば磁気記録再生装置（例えばいわゆるフロッピィディスク，ハードディスク等）或いは光学式記録再生装置等からなり、複数の上記合成画像信号（或いは合成される前（後）の上記画像信号，情報信号）の記録／再生が可能なものである。なお、図４では、上記ホストコンピュータ２３内に上記ファイリング装置２５が内蔵されている。ここで、上記ホストコンピュータ２３の内部メモリは、上記モニタ２２の表示画面２２ａの１枚乃至数枚分程度の上記画像信号の書込／読出が可能なものであり、上記ファイリング装置２５は、複数枚の記録／再生が可能なものである。したがって、上記ファイリング装置２５或いは上記内部メモリに記録（書込）された画像信号が、再生（読出）されて上記ビデオプリンタ２４に送られることで、例えば、同じ画像を複数の画像印画粘着シート１０に印画することや、複数の異なる画像を複数の画像印画粘着シート１０に連続的に印画することが可能となる。なお、上記ファイリング装置２５によれば、複数の画像信号をファイルすることで、これらのリストを作成，保存することもできる。
　【００１８】
　また、前述したように、上記画像印画粘着シート１０は、上記合成紙１２の裏面（粘着面１３）に例えば衣料用の粘着剤が塗布されているため、この画像印画粘着シート１０を上記剥離紙１１から剥がして、例えば衣服の胸部分に貼付けることができる。この粘着剤は衣服用であるため、衣服から剥がした場合でも、該粘着剤が衣服に残ることはない（衣服にダメージを与えない）。この時、当該画像印画粘着シート１０の印画面１４に、上述のように、人物の上半身（顔）の画像と会社名等の情報画像を印画すれば、該画像印画粘着シート１０をＩＤカードとして用いることができるようになる。なお、貼付けるものは衣服に限らずその他のもの（例えばノートやメモ帳など）であってもよい。
　【００１９】
　上述したように、本実施の形態の画像印画粘着シートの作成装置においては、例えば、人物の上半身（顔）の光学像をＣＣＤカメラ２０で画像信号に変換して得られた画像信号とこの画像信号に係わる例えば会社名，所属部署，氏名等の情報信号とを合成した合成画像信号に基づく画像を、合成紙１２の裏面に粘着剤が塗布され剥離紙１１に貼付けられて成る粘着シート１９の印画面１４に印画することで、例えばいわゆるＩＤカード（識別カード）等に使用可能な画像印画粘着シート１０を、短時間で簡単かつ安価に作成することができるようになる。また、この画像印画粘着シート１０を用いたＩＤカードには、上述のように、人物の上半身（顔）画像と会社名等の情報画像が同時に印画されるため、例えば、従来のように、上記会社名等をカードに記載し更に人物の上半身（顔）の写真を糊付けしたり、ラミネート加工したりしてカードを作成しなくてもよい。したがって、短時間（即時性が高い），容易かつ安価（低ランニングコスト），大量にＩＤカードを得ることができるようになる。これにより、例えば、来客者，博覧会等の入場者等のＩＤカードを迅速に作成することが可能となる。更に、画像印画粘着シート１０の粘着剤を衣料用としているため、貼付けても衣服にダメージを与えない。また、ファイリング装置２５により、画像信号等をファイルしてリストを保存することも可能となっている。
　【００２０】
　なお、本実施の形態の画像印画粘着シート１０は、上述したような、来客者，入場者等のＩＤカードに限らず、例えば、病院において、患者等の例えば患部の写真，レントゲン写真，心電図，ＣＴスキャン写真，超音波断層写真当の映像と、担当医の所見，撮影年月日，患者の容態等の文字情報とからなる画像を印画したカードを作成し、例えばカルテ等に貼付けるようにすることもできる。また、荷物の荷札として、当該荷物の包装箱に貼付けることもできる。この場合、例えば荷物の写真と、発送者，宛先等の情報を印画することができる。
　【００２１】
　【発明の効果】
　本発明の画像印画粘着シートの作成方法においては、撮像手段からの画像信号や入力手段からの情報、或いはそれらの合成信号を表示手段により印画状態を表すものとして表示し、その印画状態の画像信号等を、ビデオプリント手段に送り、画像印画媒体の印画開始位置決め用の被検出部により検出された印画開始位置の切断領域に、その画像信号等を印画するようにしているため、例えば人の顔や上半身等の実写画像とその他の情報とを同時に、画像印画粘着シートである画像印画媒体に印画することが可能であるとともに、短時間，簡単かつ安価で大量の作成が実現可能である。
【図面の簡単な説明】
　【図１】
　本発明実施の形態の画像印画粘着シートの作成装置の概略構成を示すブロック回路図である。
　【図２】
　本発明実施の形態の画像印画粘着シートの外観図である。
　【図３】
　粘着シートの断面図である。
　【図４】
　図１の本実施の形態装置を実際の機器と対応付けた場合の構成図である。
　【図５】
　粘着シートの一例を示す外観図である。
　【図６】
　粘着シートの他の例を示す外観図である。
　【符号の説明】
　１０　画像印画粘着シート、　１１　剥離紙、　１２　合成紙、　１３　粘着面、　１４　印画面、　１５　インデックス孔、　１９　粘着シート、　２０　ＣＣＤカメラ、　２１　キーボード、　２２　モニタ、　２３　ホストコンピュータ、　２４　ビデオプリンタ、　２５　ファイリング装置